(57)【特許請求の範囲】
【請求項１】
画素の集合からなる表示画面を有する液晶表示装置であって、
１つの画素のそれぞれは、
ｎ型液晶による液晶分子が傾くように制御された表示制御領域に複数の円周形状にくり抜かれた同心円構造を有するホールを複数個有する画素電極を備え、前記同心円構造は、中心から四方に連結線が設けられていることを特徴とする液晶表示装置。
【発明の詳細な説明】
【技術分野】
【０００１】
本発明は、広視野角化を可能とする液晶表示装置に関し、特に、ｎ型液晶を用いた液晶表示装置に関する。
【背景技術】
【０００２】
液晶表示装置、特にＴＦＴ（Ｔｈｉｎ  Ｆｉｌｍ  Ｔｒａｎｓｉｓｔｏｒ：薄膜トランジスタ）を用いた液晶表示装置が、広く携帯電話から大型テレビにまで採用されている。このような中で、複数人による視認を考慮した場合には、正面以外の視野からも表示内容を視認できる広視野角を有する液晶表示装置が望まれている。
【０００３】
コモン電極の形状をくの字状にすることにより、視野角の改善を図った従来の液晶表示装置について説明する。図４は、従来の液晶表示装置のＲＧＢ各画素の平面図である。さらに、図５は、従来の液晶表示装置の電圧印加による液晶分子の動作の説明図である。
【０００４】
図４に示すように、この液晶表示装置においては、液晶の倒れる向きを規定するために、くの字状のコモン電極が形成されている。そして、液晶分子は、電圧無印加状態では、図５（ａ）に示すように、垂直方向を向いている。一方、液晶分子は、電圧印加状態では、図５（ｂ）に示すように、コモン電極による斜め電界の影響で決められた方向、すなわち、コモン電極の伸びる方向と垂直な方向に倒れる。これにより、くの字と対応する２方向に液晶を倒すことが可能となり、良好な視野角を持つ液晶表示装置が実現される。
【０００５】
【特許文献１】特開平５−７２５２９号公報（第１頁、図１）
【発明の開示】
【発明が解決しようとする課題】
【０００６】
しかしながら、従来の液晶表示装置にあっては、次のような課題がある。コモン電極をくの字形状とすることにより、特定の方向の視認性は改善されるものの、全方位を考慮した際の視認性の改善を図ることはできなかった。
【０００７】
本発明は上述のような課題を解決するためになされたもので、全方位の視認性を改善できる液晶表示装置を得ることを目的とする。
【課題を解決するための手段】
【０００８】
本発明に係る液晶表示装置は、画素の集合からなる表示画面を有する液晶表示装置であって、１つの画素のそれぞれは、ｎ型液晶による液晶分子が傾くように制御された表示制御領域に複数の円周形状にくり抜かれた同心円構造を有するホールを複数個有する画素電極を備え、同心円構造は、中心から四方に連結線が設けられているものである。
【発明の効果】
【０００９】
本発明によれば、ｎ型液晶による液晶分子が傾くように制御された表示制御領域に円形状にくり抜かれた画素電極を備えることにより、全方位の視認性を改善できる液晶表示装置を得ることができる。
【発明を実施するための最良の形態】
【００１０】
以下、本発明の液晶表示装置の好適な実施の形態につき図面を用いて説明する。
【００１１】
実施の形態１．
図１は、本発明の実施の形態１における液晶表示装置のＲＧＢ各画素の平面図である。図１におけるＲＧＢそれぞれの画素は、円形状にくり抜かれた画素電極１０と、コモン電極とを備えている。画素電極１０が円形状にくり抜かれているため、図１におけるコモン電極は、円形状に見えている。このように、本発明においては、画素電極１０の形状が、ｎ型液晶による液晶分子が種々の方向に傾くように円形状にくり抜かれている点を特徴としている。
【００１２】
次に、ＲＧＢ各画素の電圧の印加／無印加状態における液晶分子の動作について説明する。図２は、本発明の実施の形態１における円形状にくり抜かれた画素電極１０を有する画素での液晶分子の動作の説明図である。
【００１３】
電圧が印加されていない場合には、図２（ａ）に示すように、液晶は、垂直に立った状態である。従って、その画素の表示は、黒いままとなる。このような黒画面においては、正面、および正面以外の斜め視角においても同様に、黒画面として認識されることとなる。
【００１４】
一方、電圧が印加された場合には、図２（ｂ）に示すように、液晶分子は、円形状にくり抜かれた画素電極１０による電界の影響で決められた方向に、すなわち、円形状にくり抜かれた画素電極１０の外円周近傍では、外円周と垂直な方向に倒れる。従って、正面、および正面以外の斜め視角においても、３６０度に渡って白画面表示が視認できることとなる。
【００１５】
上述のように、それぞれのＲＧＢ画素には、円形状にくり抜かれた画素電極１０が形成されていることから、表示を行いたい画素に電圧を印加することにより、全方位の視野に対する表示を白くすることができる。これにより、正面、および正面以外の斜め視角においても、３６０度に渡る視認性を有するカラー表示が可能となる。
【００１６】
以上のように、実施の形態１によれば、画素電極の形状を円形状にくり抜かれた形とすることにより、全方位に対する視認性を改善した液晶表示装置を容易に得ることができる。
【００１７】
さらに、製造段階においては、画素電極の形状を変更するだけであり、従来と同様のプロセスで、全方位に対する視認性を改善した液晶表示装置を容易に製造可能である。
【００１８】
実施の形態２．
本実施の形態２では、実施の形態１とは異なる画素電極１０の形状を有する液晶表示装置について説明する。図３は、本発明の実施の形態２における液晶表示装置のＲＧＢ各画素の平面図である。図３における画素電極１０は、複数の同心円がくり抜かれた形状で構成されている。
【００１９】
このような形状を有する画素電極１０を用いた場合にも、先の図２で説明したものと同様の効果により、同心円の円周上に沿って液晶分子を倒すことが可能となる。これにより、表示を行いたい画素に電圧を印加することにより、全方位の視野に対する表示を白くすることができ、正面、および正面以外の斜め視角においても、３６０度に渡る視認性を有するカラー表示が可能となる。
【００２０】
以上のように、実施の形態２によれば、画素電極の形状を複数の同心円をくり抜いた形状とすることによっても、全方位に対する視認性を改善した液晶表示装置を容易に得ることができる。
【００２１】
さらに、製造段階においては、画素電極の形状を変更するだけであり、従来と同様のプロセスで、全方位に対する視認性を改善した液晶表示装置を容易に製造可能である。さらに、画素電極の形状、例えば、画素電極の大きさあるいは画素電極間のくり抜きの距離等の設計自由度を増すことができる。
【図面の簡単な説明】
【００２２】
【図１】本発明の実施の形態１における液晶表示装置のＲＧＢ各画素の平面図である。
【図２】本発明の実施の形態１における円形状にくり抜かれた画素電極を有する画素での液晶分子の動作の説明図である。
【図３】本発明の実施の形態２における液晶表示装置のＲＧＢ各画素の平面図である。
【図４】従来の液晶表示装置のＲＧＢ各画素の平面図である。
【図５】従来の液晶表示装置の電圧印加による液晶分子の動作の説明図である。
【符号の説明】
【００２３】
１０  画素電極。
【図１】
0005452834.tif 000002
【図２】
0005452834.tif 000003
【図３】
0005452834.tif 000004
【図４】
0005452834.tif 000005
【図５】
0005452834.tif 000006